(57)【要約】【課題】従来、アナログＲＧＢ入力用及びコンポーネント入力用の兼用コネクタを有した液晶プロジェクタでは、上記入力信号の種類をユーザに設定させていたため、設定ミス等により、入力信号の種類に応じた映像信号処理がなされず、映像が正常に表示されない場合があった。【解決手段】アナログＲＧＢ入力及びコンポーネント入力の２種の信号入力用の兼用コネクタ１と、コンポーネント入力の輝度信号に対し同期分離を行い、その同期周波数を計測する同期分離回路２と、この計測結果に基づき上記入力信号がコンポーネント入力であるか否か、またデジタル信号処理回路１２への入力信号の同期周波数計測に基づき上記入力信号がアナログＲＧＢ入力であるか否かを判別し、上記判別結果に基づき回路１２での信号処理を制御するマイクロコントローラ５とを具備した。【選択図】　図１
2004021054.tif 000002
【特許請求の範囲】
【請求項１】
アナログＲＧＢ入力及びコンポーネント入力の２種類の入力信号を受け入れ可能な兼用入力端子と、前記コンポーネント入力に対しては同期分離を行い、その同期周波数を計測する手段と、この計測手段での同期周波数計測結果に基づき前記入力端子への入力信号がコンポーネント入力であるか否かを判別する第１の判別手段と、前記入力端子への入力信号の同期特性に基づきこの入力信号がアナログＲＧＢ入力であるか否かを判別する第２の判別手段と、前記入力端子からの入力信号を第１の判別手段及び第２の判別手段の判別結果に基づいて信号処理する信号処理手段とを具備したことを特徴とする映像表示装置。
【請求項２】
請求項１記載の映像表示装置において、入力信号の同期周波数の変化の有無を判別する第３の判別手段と、この第３の判別手段にて前記入力信号が変化したと判断されたときは前記入力信号に対してミューティングを行ない、前記第１または第２の判別手段での入力信号の判別が終了後に前記ミューティングを解除するミューティング手段とを具備したことを特徴とする映像表示装置。
【請求項３】
請求項１記載の映像表示装置において、アナログＲＧＢ入力及びコンポーネント入力以外の信号が入力される入力端子と、所望の入力端子からの入力を選択するための入力切換手段とを具備し、この入力切換手段によりアナログＲＧＢ入力及びコンポーネント入力を受け入れ可能な前記入力端子からの入力が選択された場合は、前記入力端子からの入力に対してミューティングを行ない、前記第１または第２の判別回路での入力信号の判別が終了後に前記ミューティングを解除するミューティング手段とを具備したことを特徴とする映像表示装置。
【請求項４】
請求項１記載の映像表示装置において、前記信号処理手段からの出力映像信号を投射表示する表示手段を具備したことを特徴とする映像表示装置。
【請求項５】
アナログＲＧＢ入力及びコンポーネント入力の２種類の入力信号を受け入れ可能な兼用コネクタと、このコネクタに接続され、前記コンポーネント入力に対して同期分離を行う同期分離回路と、同期分離回路で分離された同期信号の同期周波数を計測する手段と、前記同期分離回路で分離された前記コンポーネント入力の同期信号または前記コネクタに入力される前記アナログＲＧＢ入力にかかる同期信号が入力され、アナログＲＧＢ入力及びコンポーネント入力のうち制御回路から指定された一方の信号の同期信号を選択して出力するマルチプレクサと、このマルチプレクサからの同期信号出力、及び前記コネクタからのアナログＲＧＢ入力またはコンポーネント入力にかかる映像信号を処理する信号処理回路と、前記同期周波数計測手段での同期周波数及び前記マルチプレクサからの同期信号出力にかかる周波数から前記入力端子への入力信号がコンポーネント入力であるかアナログＲＧＢ入力であるかを判別する判別手段と、この判別手段の判別結果に基づいて前記マルチプレクサ及び前記信号処理回路を制御する制御手段とを具備したことを特徴とする映像表示装置。
【請求項６】
請求項５記載の映像表示装置において、前記信号処理回路からの出力映像信号を投射表示する表示手段を具備したことを特徴とする映像表示装置。
【発明の詳細な説明】
【０００１】
【発明の属する技術分野】本発明は、映像表示装置に関する。
【０００２】
【従来の技術】会議等においてパーソナルコンピュータ（以下、ＰＣという）等からの映像信号を表示するための大画面表示装置として、投射型映像表示装置である液晶プロジェクタが活用されている。ＰＣから液晶プロジェクタへ映像信号を供給するための両者間の接続は、Ｄ−Ｓｕｂ（Ｓｕｂｍｉｎｉａｔｕｒｅ−Ｄ）１５ピンのコネクタを有するＶＧＡケーブルを用いるのが一般的である。また、他のビデオ機器から液晶プロジェクタへ映像信号を供給するための接続にも上記コネクタが用いられている。
【０００３】
ところが、上記コネクタはサイズが大きいため、近年ますますその小型化が進んでいる液晶プロジェクタでは、入力端子としての上記コネクタはＰＣ用及びビデオ用にそれぞれ１系統を備えるのが一般的である。なお、コネクタをそれぞれ１系統備えるのは、ＰＣ用にはアナログＲＧＢ入力に対応させ、ビデオ機器用にはコンポーネント入力に対応させるためである。最近では、更なる液晶プロジェクタの小型化から、ＰＣ用及びビデオ用の入力コネクタを兼用したものも出現している。
【０００４】
従来、入力用コネクタを上記のように兼用端子とした液晶プロジェクタでは、どちらの信号が入力されているかをユーザに設定させており、この設定に基づいて、それぞれの入力信号に対応した映像表示のための信号処理を行なっている。しかしながら、この場合、ユーザが上記設定を行なわなかったり、あるいは間違った設定を行なったような場合には、映像が正常に表示されないという問題があった。特開２００１−２１５９３４号公報には、複数の入力映像信号を切り換え、且つ表示に適したモードに変換する映像表示装置が記載されているが、入力端子を兼用端子とした場合の対応等については開示がない。
【０００５】
【発明が解決しようとする課題】従来、アナログＲＧＢ入力用及びコンポーネント入力用のコネクタを兼用端子とした液晶プロジェクタでは、上記どちらの信号が入力されているかをユーザに設定させているため、ユーザが上記設定を行なわなかったり、あるいは間違った設定を行なったような場合には、入力信号の種類に対応した映像表示のための信号処理が正しくなされず映像が正常に表示されないという問題があった。
【０００６】
本発明は上述した問題点を解決するためになされたもので、入力信号の種別を自動的に判別し、この判別結果に基づき信号の種別に応じた信号処理を行なうことが可能な映像表示装置を提供することを目的とする。
【０００７】
【課題を解決するための手段】請求項１にかかる映像表示装置は、アナログＲＧＢ入力及びコンポーネント入力の２種類の入力信号を受け入れ可能な兼用入力端子と、前記コンポーネント入力に対しては同期分離を行い、その同期周波数を計測する手段と、この計測手段での同期周波数計測結果に基づき前記入力端子への入力信号がコンポーネント入力であるか否かを判別する第１の判別手段と、前記入力端子への入力信号の同期特性に基づきこの入力信号がアナログＲＧＢ入力であるか否かを判別する第２の判別手段と、前記入力端子からの入力信号を第１の判別手段及び第２の判別手段の判別結果に基づいて信号処理する信号処理手段とを具備したことを特徴とするものである。
【０００８】
請求項２にかかる映像表示装置は、請求項１記載の映像表示装置において、入力信号の同期周波数の変化の有無を判別する第３の判別手段と、この第３の判別手段にて前記入力信号が変化したと判断されたときは前記入力信号に対してミューティングを行ない、前記第１または第２の判別手段での入力信号の判別が終了後に前記ミューティングを解除するミューティング手段とを具備したことを特徴とするものである。
【０００９】
請求項３にかかる映像表示装置は、請求項１記載の映像表示装置において、アナログＲＧＢ入力及びコンポーネント入力以外の信号が入力される入力端子と、所望の入力端子からの入力を選択するための入力切換手段とを具備し、この入力切換手段によりアナログＲＧＢ入力及びコンポーネント入力を受け入れ可能な前記入力端子からの入力が選択された場合は、前記入力端子からの入力に対してミューティングを行ない、前記第１または第２の判別回路での入力信号の判別が終了後に前記ミューティングを解除するミューティング手段とを具備したことを特徴とするものである。
【００１０】
請求項４にかかる映像表示装置は、請求項１記載の映像表示装置において、前記信号処理手段からの出力映像信号を投射表示する表示手段を具備したことを特徴とするものである。
【００１１】
請求項５にかかる映像表示装置は、アナログＲＧＢ入力及びコンポーネント入力の２種類の入力信号を受け入れ可能な兼用コネクタと、このコネクタに接続され、前記コンポーネント入力に対して同期分離を行う同期分離回路と、同期分離回路で分離された同期信号の同期周波数を計測する手段と、前記同期分離回路で分離された前記コンポーネント入力の同期信号または前記コネクタに入力される前記アナログＲＧＢ入力にかかる同期信号が入力され、アナログＲＧＢ入力及びコンポーネント入力のうち制御回路から指定された一方の信号の同期信号を選択して出力するマルチプレクサと、このマルチプレクサからの同期信号出力、及び前記コネクタからのアナログＲＧＢ入力またはコンポーネント入力にかかる映像信号を処理する信号処理回路と、前記同期周波数計測手段での同期周波数及び前記マルチプレクサからの同期信号出力にかかる周波数から前記入力端子への入力信号がコンポーネント入力であるかアナログＲＧＢ入力であるかを判別する判別手段と、この判別手段の判別結果に基づいて前記マルチプレクサ及び前記信号処理回路を制御する制御手段とを具備したことを特徴とするものである。
【００１２】
請求項６にかかる映像表示装置は、請求項５記載の映像表示装置において、前記信号処理回路からの出力映像信号を投射表示する表示手段を具備したことを特徴とするものである。
【００１３】
【発明の実施の形態】以下、本発明になる映像表示装置の実施の形態につき、図面を用いて詳細に説明する。
【００１４】
図１は、本発明になる映像表示装置の一実施の形態を示すブロック図である。この図の装置は、液晶プロジェクタに本発明を適用したものである。図中、１はＤ−Ｓｕｂ１５ピンコネクタであり、アナログＲＧＢ入力及びコンポーネント入力（Ｙ／Ｐｂ／Ｐｒ入力ともいう）入力の２つの入力を同一のコネクタで受け付けるべく兼用端子となっている。なお、コネクタ１の各ピンへ入力される信号内容は図２に示すように規定されている。２はコネクタ１（の２番ピン）に接続された同期分離回路であり、コンポーネント入力中の輝度信号（Ｙ）成分からその同期信号を分離する。また、この同期分離回路２は分離した水平及び垂直同期信号の各周波数を計測する機能を有している。
【００１５】
３はコネクタ１（の１４番ピン）及び同期分離回路２に接続されたマルチプレクサであり、４はコネクタ１（の１３番ピン）及び同期分離回路２に接続されたマルチプレクサである。マルチプレクサ３は入力される２系統の垂直同期信号のうち、詳細を後述するマイクロコントローラ５によって指定された系統の垂直同期信号を出力し、マルチプレクサ４は入力される２系統の水平同期信号のうち、マイクロコントローラ５によって指定された系統の水平同期信号を出力する。６はコネクタ１（の１番ピン乃至３番ピン）及びマルチプレクサ４に接続されたＡ／Ｄ変換回路であり、コネクタ１から入力されるアナログＲＧＢ信号及びコンポーネント入力（色差信号及び輝度信号）をデジタル映像信号に変換する。
【００１６】
７はビデオコネクタであり、これは輝度信号と色信号とをフィールドメモリを用いて分離する輝度／色分離回路（以下、３次元Ｙ／Ｃ分離回路という）８を介してアナログ映像信号をデジタル映像信号（ＹＵＶ）に変換するデジタルビデオデコーダ回路９（の第１の入力端）に接続されている。一方、１０はＳビデオコネクタであり、これは上記デジタルビデオデコーダ回路９（の第２の入力端）に接続されている。
【００１７】
１１はマルチプレクサ３、Ａ／Ｄ変換回路６、及びデジタルビデオデコーダ回路９に接続された信号切換スイッチであり、コネクタ１からの信号、またはビデオコネクタ７及びＳビデオコネクタ１０からの信号のいずれか一方の信号をマイクロコントローラ５からの制御信号に基づき選択して出力する。
【００１８】
１２は信号切換スイッチ１１に接続されたデジタル信号処理回路であり、フレームバッファメモリ１３を用いて入力デジタル映像信号に対し所定のデジタル信号処理を行なう。なお、この回路１２はこの回路１２への入力信号の同期周波数（詳しくは、同期の有無、ライン数、水平・垂直周波数）を計測する機能を有している。また、その出力信号に対してミューティング処理を行なう機能を有している。１４はデジタル信号処理回路１２に接続された出力処理回路であり、デジタル映像信号をアナログ変換してＲ、Ｇ、Ｂ３色に対応した液晶出力パネル１５乃至１７へ送出する。なお、液晶出力パネル１５乃至１７の出力は図示せぬ既知の光学系を介して合成され、図示せぬスクリーンに投射表示される。
【００１９】
最後に１８はマイクロコントローラ５に接続された操作キーであり、ユーザによりコネクタの選択や各種の設定が成されるものである。
【００２０】
次に、上記装置の詳細動作につき、図３乃至図５のフローチャートも用いて説明する。図３は、図１の装置においてビデオ映像を表示するべく出力処理を行なっている際に、Ｄ−Ｓｕｂ１５ピンコネクタ１からの入力を選択するべくユーザが操作キー１８により入力切換した時の流れを示している。
【００２１】
まず、マイクロコントローラ５はデジタル信号処理回路１２を制御してその出力映像をミューティングし（ステップＳ１）、その後、同期分離回路２からコンポーネント入力中の輝度信号の水平・垂直同期周波数の測定結果を取得する（ステップＳ２）。なお、図２に示す各ピン番号に対応した信号内容から分かるように、アナログＲＧＢ入力時は２番ピンに入力されるグリーン（Ｇ）信号が同期分離回路２に入力されるため、同期出力はない。マイクロコントローラ５は取得した同期周波数データからコネクタ１に入力されている入力信号がコンポーネント入力か否かを判断する（ステップＳ３）。
【００２２】
ステップＳ３で入力信号がコンポーネント入力であると判断されると、同期分離回路２、マルチプレクサ３、４、Ａ／Ｄ変換回路６、信号切換スイッチ１１、デジタル信号処理回路１２及び出力処理回路１４にてコンポーネント入力に基づく映像を出力表示するための信号切換処理を行い（ステップＳ４）、映像のミューティングを解除する（ステップＳ５）。
【００２３】
一方、入力信号がコンポーネント入力であると判断出来なければ（ステップＳ３で「Ｎｏ」）、上述した複数の回路を制御してアナログＲＧＢ信号の映像出力のための信号切換処理を行う（ステップＳ６）。そして一定時間待機（ステップＳ７）した後に、今度はデジタル信号処理回路１２からその入力信号の同期の有無、ライン数、水平・垂直周波数にかかる情報を取得する（ステップＳ８）。マイクロコントローラ５はデジタル信号処理回路１２から得られた前記情報から入力信号が正常なアナログＲＧＢ信号か否かを判定する（ステップＳ９）。その結果、正常なアナログＲＧＢ信号だと判定されれば、デジタル信号処理回路１２を制御して映像のミューティングを解除する（ステップＳ５）。正常なアナログＲＧＢ信号ではないと判定された場合は、コネクタ１には信号が入力されていない旨の表示出力処理を行い（ステップＳ１０）、処理を終了する。なお、上記無信号である旨の表示は、マイクロコントローラ５に内蔵された文字発生器（図示せず）の出力を出力処理回路１４に供給することで対応可能である。
【００２４】
図４は、上述した入力切換処理によってコンポーネント入力に基づく映像表示のための信号処理がなされた後、マイクロコントローラ５によって周期的に行われる処理を示すフローチャートである。
【００２５】
マイクロコントローラ５は一定時間待機し（ステップＳ１１）、その後、周期的に回路２に水平・垂直周波数測定結果を問い合わせて、データを取得する（ステップＳ１２）。そして入力信号の変化の有無を確認する（ステップＳ１３）。その結果、入力信号が変化していないと判断した場合は、ステップＳ１１に戻る。一方、入力信号が変化したと判断した場合は、一時的に映像信号にミューティングをかける（ステップＳ１４）。その上で、周波数は変化したものの依然として入力信号がコンポーネント入力であると判断できれば（例えば、入力信号が「４８０ｉ」から「１０８０ｉ」に変化した等）（ステップＳ１５で「Ｙｅｓ」）、（例えば、走査周波数が相違した）コンポーネント入力に基づく映像を出力表示するための準備を行い（ステップＳ１６）、その後、映像ミュートを解除する（ステップＳ１７）。
【００２６】
ステップＳ１５で判断結果が「Ｎｏ」であれば、アナログＲＧＢ入力に基づく映像を表示出力するための信号切換処理を行う（ステップＳ１８）。一定時間経過後（ステップＳ１９）、信号処理回路１２から入力信号の同期の有無、ライン数、水平・垂直周波数の情報を取得し（ステップＳ２０）、その結果、正常なアナログＲＧＢ入力と判断できれば（ステップＳ２１で「Ｙｅｓ」）、映像ミューティングを解除し（ステップＳ２２）、図５に示す周期的な処理に移行する。一方、無信号と判別された場合（ステップＳ２１で「Ｎｏ」）は、映像ミューティングを解除せず、コネクタ１には信号が入力されていない旨の表示出力処理を行なった（ステップＳ２３）上で、ミューティングをかけたまま図５に示す処理に移行する。
【００２７】
図５は基本的にアナログＲＧＢ入力に基づく映像を表示出力中にマイクロコントローラ５によって周期的に行われる処理のフローチャートを示している。この場合、周期的に回路１２から入力信号の同期の有無、ライン数、水平・垂直周波数の情報を取得し、信号変化を確認した場合は、そのままの状態で回路２から入力信号の周波数測定結果を取得する。そこで、もし入力信号がコンポーネント入力に変化したと判断された場合は、コンポーネント入力の表示出力のための信号切換処理を行った後、映像のミューティングを解除すると共に、再度、図４に示した周期的な処理に戻る。
【００２８】
以下、図５のフローチャートの各ステップ毎に説明する。ここでは、ＲＧＢ入力に基づく出力表示の準備がなされた以降に映像のミューティングが解除された状態、あるいは解除されない状態からの動作となる。最初に、一定時間が経過するまで現在の状態を維持する（ステップＳ３１）。次に、回路１２から入力信号の同期の有無、ライン数、水平・垂直周波数の情報を取得する（ステップＳ３２）。マイクロコントローラ５は、この情報に基づき、入力信号が変化したかどうかにつき判断する（ステップＳ３３）。変化がない場合は、再びステップＳ３１に戻る。
【００２９】
変化があったと判断された場合（ステップＳ３３で「Ｙｅｓ」）は、まず映像のミューティングを行なう（ステップＳ３４）（既にミューティング状態にある場合は、その状態を維持する）。その後、同期分離回路２から入力信号の水平・垂直周波数値を取得する（ステップＳ３５）。マイクロコントローラ５で、上記情報から入力信号がコンポーネント入力に変化したと判断された場合は（ステップＳ３６で「Ｙｅｓ」）、ステップＳ３７に移り、コンポーネント入力を表示する準備を行なう。そして、映像のミューティングを解除して（ステップＳ３８）、再び図４のステップＳ１１に移行する。
【００３０】
ステップＳ３６にて、マイクロコントローラ５が入力信号がコンポーネント入力と判断出来ない場合は、ステップＳ３９に移り回路１２から入力信号の同期の有無、ライン数、水平・垂直周波数の情報を取得する。そして、マイクロコントローラ５はデジタル信号処理回路１２から得られた前記情報から入力信号がアナログＲＧＢ信号か否かを判定する（ステップＳ４０）。その結果、アナログＲＧＢ信号だと判定されれば、アナログＲＧＢ信号を出力表示する準備を行なった上で（ステップＳ４１）、映像のミューティングを解除する（ステップＳ４２）。そしてその後、ステップＳ３１に戻る。ステップＳ４０でアナログＲＧＢ信号と判断出来ない場合は、コネクタ１には信号が入力されていない旨の表示出力処理を行なった（ステップＳ４３）上で、再びステップＳ３１に戻る。
【００３１】
なお、ユーザにより操作キー１８が操作されてコネクタ１に接続されている機器の出力表示から他のコネクタ（例えばビデオコネクタ７）に接続されている機器の出力表示に切換がなされた場合は、マイクロコントローラ５で割込み処理が行なわれて、図４、図５に示した動作フローが終了することになる。
【００３２】
以上述べた本実施の形態においては、アナログＲＧＢ入力とコンポーネント入力が兼用端子である１つのコネクタに入力されるデータプロジェクタにおいて、図３のフローチャートに示すように、上記コネクタに入力切換した時、いずれの信号を入力するのか予めユーザに設定してもらわなくとも自動的に入力信号に応じた信号切換処理が行われ、正常な映像が出力表示される。さらに図４及び図５のフローチャートに示すように、上記兼用端子からの入力信号に基づく映像を出力表示中に、ユーザによって入力信号がコンポーネント入力からアナログＲＧＢ入力、もしくは、その逆のアナログＲＧＢ入力からコンポーネント入力に切り換えられても、切換に追随して出力表示映像が切り換わることになる。
【００３３】
なお、上記実施の形態では、映像表示装置として投射型映像表示装置である液晶プロジェクタを採り上げたが、本発明はこれに限られるものではなく、兼用コネクタを用いる種々様々な映像表示装置に適用可能である。
【００３４】
【発明の効果】以上述べたように本発明によれば、入力信号の種別を自動的に判別し、この判別結果に基づき信号の種別に応じた信号処理を行なうことが可能な映像表示装置を提供することが出来、有用である。
【図面の簡単な説明】
【図１】本発明になる映像表示装置の実施の形態の一例を示すブロック図。
【図２】図１の装置のコネクタのピンと信号内容との関係を示す図。
【図３】図１の装置の動作を説明するためのフローチャート。
【図４】図１の装置の動作を説明するためのフローチャート。
【図５】図１の装置の動作を説明するためのフローチャート。
【符号の説明】
１：　Ｄ−Ｓｕｂ１５ピンコネクタ
２：　同期分離回路
３、４：　マルチプレクサ
５：　マイクロコントローラ
７：　ビデオコネクタ
１０：　Ｓビデオコネクタ
１１：　信号切換スイッチ
１２：　デジタル信号処理回路
１５乃至１７：　液晶出力パネル
１８：　操作キー
【図１】
2004021054.tif 000003
【図２】
2004021054.tif 000004
【図３】
2004021054.tif 000005
【図４】
2004021054.tif 000006
【図５】
2004021054.tif 000007